(57)【要約】【課題】ユーザが短縮ダイヤル発呼指令操作を忘れて短縮キー番号を入力した場合に、その短縮キー番号が有効な発呼先番号とみなされて誤発呼してしまうことを防止できる通信端末装置を提供する。【解決手段】発呼先番号が入力され、発呼指令がなされたときには、入力された発呼先番号と同じ桁数の短縮キー番号が登録されているかどうかを判別して、同じ桁数の短縮キー番号があったときには、短縮ダイヤル発呼をするか通常発呼をするかを問い合わせ、短縮ダイヤル発呼指令を受付けたときには、入力された発呼先番号を短縮キー番号とみなして、その短縮キー番号に対応させて登録したダイヤル番号を読み出して発呼する一方、通常発呼指令を受付けたときには、入力された発呼先番号をそのまま発呼する制御手段１を備える。【選択図】図１
2007235196.tif 000002
【特許請求の範囲】
【請求項１】
発呼先となるダイヤル番号を短縮キー番号に対応させて登録する機能を備えた通信端末装置において、
発呼先番号が入力され、発呼指令がなされたときには、入力された発呼先番号と同じ桁数の短縮キー番号が登録されているかどうかを判別して、同じ桁数の短縮キー番号があったときには、短縮ダイヤル発呼をするか通常発呼をするかを問い合わせ、
上記短縮ダイヤル発呼指令を受付けたときには、入力された発呼先番号を短縮キー番号とみなして、その短縮キー番号に対応させて登録したダイヤル番号を読み出して発呼する一方、
上記通常発呼指令を受付けたときには、入力された発呼先番号をそのまま発呼する制御手段を備えている通信端末装置。
【請求項２】
発呼先となるダイヤル番号を短縮キー番号に対応させて登録する機能を備えた通信端末装置において、
発呼先番号が入力され、発呼指令がなされたときには、発呼先番号と同じ短縮キー番号が登録されているかどうかを判別して、同じ短縮キー番号があったときには、短縮ダイヤル発呼をするか通常発呼をするかを問い合わせ、
上記短縮ダイヤル発呼指令を受付けたときには、入力された発呼先番号を短縮キー番号とみなして、その短縮キー番号に対応させて登録したダイヤル番号を読み出して発呼する一方、
上記通常発呼指令を受付けたときには、入力された発呼先番号をそのまま発呼する制御手段を備えている通信端末装置。
【請求項３】
請求項１または２において、
上記発呼指令を受けたときには、予め原稿読取装置にセットした原稿画像を自動的に読取走査して、画像データとして画像メモリに蓄積し、上記短縮ダイヤル発呼指令あるいは上記通常発呼指令を受けたときには、それぞれ、上記短縮キー番号に対応させたダイヤル番号あるいは上記発呼先番号をそのまま発呼した後、上記画像メモリから原稿画像を読出して、所定のファクシミリ通信手順信号に従って、ファクシミリ送信することを特徴とする通信端末装置。
【発明の詳細な説明】
【技術分野】
【０００１】
本発明は発呼先となるダイヤル番号を、短縮キー番号に対応させて登録する機能を備えた通信端末装置の改良に関する。
【背景技術】
【０００２】
近時、ファクシミリ装置などの各種の通信端末装置では、発呼先となるダイヤル番号を短縮キー番号に対応させて登録する機能を備えている。
【０００３】
このような通信端末装置では、ダイヤル番号の代わりにそれより少ない桁数の短縮キー番号を使用して発呼先番号を入力する手間を省いて、発呼先を発呼することができるようになっている。
【０００４】
すなわち、ユーザの所定操作によって、短縮キー番号を入力し発呼操作をすれば、自動的に予め登録された発呼先番号を読み出し発呼するようにしている。
【０００５】
ところが、この種の通信端末装置では、ユーザが短縮ダイヤル発呼指令操作を忘れて短縮キー番号を入力した場合に、その短縮キー番号が有効な発呼先番号として、そのまま誤発呼してしまう問題があった。
【０００６】
特に、内線電話機が接続され、発呼先番号として内線番号を入力するような装置においては、入力した短縮キー番号を内線番号とみなして誤発呼するような問題が発生していた。
【特許文献１】特開２００５−２５２５５３号公報
【発明の開示】
【発明が解決しようとする課題】
【０００７】
ところで、上記した特許文献１では、入力された発呼先番号が予め登録された特番の場合、誤発信を防止するため、入力された発呼先番号の桁数と予め登録された特番の桁数とが一致するか判断して、不一致の場合に、その旨を報知し修正操作を受け付けるようにして、誤発呼を防止するような技術が開示されている。
【０００８】
しかしながら、ユーザが短縮ダイヤル発呼指令操作を忘れて短縮キー番号を入力した場合に、入力された短縮キー番号を有効な発呼先番号とみなしてそのまま発呼することを防止することはできなかった。
【０００９】
そこで、本発明は、ユーザが短縮ダイヤル発呼指令操作を忘れて短縮キー番号を入力した場合に、短縮キー番号が有効な発呼先番号とみなされることを防止して誤発呼してしまうことを防止できる通信端末装置を提供することを目的とする。
【課題を解決するための手段】
【００１０】
上記目的を達成するため、請求項１では第１の本発明を提案している。
この発明では、桁数が同じ短縮キー番号が検索対象となり、発呼先番号が入力され、発呼指令がなされたときには、入力された発呼先番号と同じ桁数の短縮キー番号が登録されているかどうかを判別して、同じ桁数の短縮キー番号があったときには、短縮ダイヤル発呼をするか通常発呼をするかを問い合わせ、短縮ダイヤル発呼指令を受付けたときには、入力された発呼先番号を短縮キー番号とみなして、その短縮キー番号に対応させて登録したダイヤル番号を読み出して発呼する一方、通常発呼指令を受付けたときには、入力された発呼先番号をそのまま発呼する制御手段を備えている。
【００１１】
請求項２は第２の本発明を提案している。
この発明では、短縮キー番号のすべてが検索対象となり、発呼先番号が入力され、発呼指令がなされたときには、発呼先番号と同じ短縮キー番号が登録されているかどうかを判別して、同じ短縮キー番号があったときには、短縮ダイヤル発呼をするか通常発呼をするかを問い合わせ、短縮ダイヤル発呼指令を受付けたときには、入力された発呼先番号を短縮キー番号とみなして、その短縮キー番号に対応させて登録したダイヤル番号を読み出して発呼する一方、通常発呼指令を受付けたときには、入力された発呼先番号をそのまま発呼する制御手段を備えている。
【００１２】
請求項３は第１、第２の本発明をファクシミリ装置に適用しており、発呼指令を受けたときには、予め原稿読取装置にセットした原稿画像を自動的に読取走査して、画像データとして画像メモリに蓄積し、短縮ダイヤル発呼指令あるいは通常発呼指令を受けたときには、それぞれ、短縮キー番号に対応させたダイヤル番号あるいは発呼先番号を発呼した後、画像メモリから原稿画像を読出して、所定のファクシミリ通信手順信号に従って、ファクシミリ送信することを特徴とする。
【発明の効果】
【００１３】
本発明の請求項１によれば、発呼先番号が入力され発呼指令がなされたときには、入力された発呼先番号と同じ桁数の短縮キー番号が登録されているかどうかを判別し、同じ桁数の短縮キー番号があったときには、短縮ダイヤル発呼をするか通常発呼をするかを問い合わせるので、ユーザが短縮ダイヤル発呼指令操作を忘れて短縮キー番号を入力した場合に、短縮キー番号が有効な発呼先番号とみなされ、誤発呼してしまうことを防止できる。
【００１４】
請求項２によれば、入力された発呼先番号と同じ短縮キー番号が登録されているかを判別し、同じ短縮キー番号があったときには、短縮ダイヤル発呼をするか通常発呼をするかを問い合わせるので、請求項１と同様の効果を発揮できる。
【００１５】
請求項３によれば、請求項１または請求項２のいずれかに記載の効果を発揮するファクシミリ装置を提供できる。
【発明を実施するための最良の形態】
【００１６】
以下に、本発明の実施の形態について説明する。ここでは、本発明の通信端末装置の一例としてファクシミリ装置を示しているが、これには限られず、オフフック操作をしてから発呼先番号を入力し、最後に発呼指令操作をする、プッシュホーンまたはダイヤルホーンの電話機にも適用できる。
【実施例１】
【００１７】
図１は、本発明の通信端末装置の要部構成の一例を示すブロック図である。
【００１８】
通信端末装置の一例であるファクシミリ装置Ｆは、制御手段を構成し、このファクシミリ装置Ｆを制御するＣＰＵ１、電話回線Ｌに対する接続制御をなすＮＣＵ２、ファクシミリ通信に必要な各種信号を変復調するモデム３、このファクシミリ装置Ｆが動作するために必要な各種プログラムなどを記憶したＲＯＭ４、短縮ダイヤルテーブル５０を有し、短縮ダイヤルテーブル５０に登録されたダイヤル番号など機能実行に必要な設定値を有効な設定値として展開するためのＲＡＭ５、原稿を読み取り画像データを生成するスキャナ６、画像データを蓄積するための画像メモリ７、液晶画面などで構成される表示部８、各種操作キーなどで構成される操作部９、画像データを符号化、復号するコーデック１０、画像データを記録紙にプリントするプリンタ１１を備える。
【００１９】
図２は、短縮ダイヤルテーブル５０の構成の一例を示す図である。
【００２０】
短縮ダイヤルテーブル５０では、短縮キー番号毎にダイヤル番号を登録可能としており、ユーザの所定操作により短縮ダイヤル登録モードを実行させ、短縮キー番号毎に順次ダイヤル番号を登録するようにしている。
【００２１】
すなわち、図示しない短縮ダイヤル発呼指令キーを操作して短縮ダイヤル発呼指令をしてから、テンキーの操作により短縮キー番号を入力すると、短縮ダイヤルテーブル５０で予め対応して登録しているダイヤル番号を、有効な発呼先番号としてＲＡＭ５に展開させ、図示しないスタートキーが操作されると、原稿画像を読み取って生成した画像データを画像メモリ７に蓄積させ、ＲＡＭ５に展開した発呼先番号を発呼し、画像メモリ７に蓄積した画像データをファクシミリ送信する基本動作をなす。
【００２２】
本発明のファクシミリ装置Ｆでは、短縮ダイヤル発呼指令キーを操作せずに発呼先番号を入力して発呼指令をした場合には、以下に示す処理を行って、誤発信を防止している。
【００２３】
図３は、第１の本発明の基本動作の一例を示すフローチャートである（１００〜１１１）。
【００２４】
ファクシミリ装置Ｆは、発呼先番号を入力して発呼指令がされると、原稿を読み取って画像メモリ７に蓄積し、入力された発呼先番号の桁数と同じ桁数の短縮キー番号が有るか否かを、短縮ダイヤルテーブル５０を参照して判定する。
【００２５】
同じ桁数の短縮キー番号があった場合には、所定時間の間、問い合わせ画面を表示して、短縮ダイヤル発呼をするか通常発呼をするかをユーザに問い合わせる。
【００２６】
その結果、所定時間内に短縮ダイヤル発呼指令を受付けたときには、入力された発呼先番号を短縮キー番号とみなして、その短縮キー番号に対応させて登録したダイヤル番号を読み出して発呼する。
【００２７】
一方、所定時間内に通常発呼指令を受け付けたときには、入力された発呼先番号をそのまま発呼する。
【００２８】
なお、所定時間内に短縮ダイヤル発呼指令、通常発呼指令のいずれも受け付けなかったときには、発呼指令を無効として通常の待機状態に復帰し、また、発呼先番号を入力してから所定時間内に発呼指令がされなかった場合にも発呼先番号の入力を無効として通常の待機状態に復帰する。
【００２９】
ダイヤル番号あるいは入力された発呼先番号を発呼した後、着信があれば、画像メモリ７から画像データを読み出して、所定のファクシミリ通信手順信号に従って、ファクシミリ送信する。
【００３０】
図４は、第１の本発明における表示部の問い合わせ動作を説明する図であり、図４（ａ）は問い合わせ画面の一例を示し、図４（ｂ）は短縮ダイヤル発呼指令の受付け確認画面の一例を示し、図４（ｃ）は通常発呼指令の受付け確認画面の一例を示している。
【００３１】
問い合わせ確認画面８０では、短縮ダイヤル発呼指令選択ボタン８０Ａと通常発呼指令選択ボタン８０Ｂとが表示されており、短縮ダイヤル発呼指令選択ボタン８０Ａの操作により、短縮ダイヤル発呼指令が受け付けられて、短縮ダイヤル発呼指令の受付け確認画面８１が表示される。
【００３２】
一方、通常発呼指令選択ボタン８０Ｂの操作により、通常発呼指令が受付けられて、通常発呼指令の受け付け確認画面８２が表示される。
【００３３】
なお、問い合わせ確認画面８０の表示は所定時間内に限られ、所定時間が経過すれば通常の待機状態に復帰する。
【００３４】
短縮ダイヤル発呼指令の受付け確認画面８１では、ＯＫボタン８１Ａの操作により短縮ダイヤル発呼指令の受け付けがなされ、キャンセルボタン８１Ｂの操作により、通常の待機状態に復帰する。
【００３５】
通常発呼指令の受付け確認画面８２では、ＯＫボタン８２Ａの操作により短縮ダイヤル発呼指令の受付けがなされ、キャンセルボタン８２Ｂの操作により通常の待機状態に復帰する。
【００３６】
図５は、第２の本発明の基本動作の一例を示すフローチャートである（２００〜２１１）。
【００３７】
ファクシミリ装置Ｆは、発呼先番号を入力して発呼指令がされると、原稿を読み取って画像メモリ７に蓄積し、入力された発呼先番号と同じ短縮キー番号が有るか否かを、短縮ダイヤルテーブル５０を参照して判定する。
【００３８】
同じ短縮キー番号があった場合には、所定時間の間、問い合わせ画面を表示して、短縮ダイヤル発呼をするか通常発呼をするかをユーザに問い合わせる。
【００３９】
その結果、所定時間内に短縮ダイヤル発呼指令を受け付けたときには、入力された発呼先番号を短縮キー番号とみなして、その短縮キー番号に対応させて登録したダイヤル番号を読み出して発呼する。
【００４０】
一方、所定時間内に通常発呼指令を受け付けたときには、入力された発呼先番号をそのまま発呼する。
【００４１】
なお、所定時間内に短縮ダイヤル発呼指令、通常発呼指令のいずれも受け付けなかったときには、発呼指令を無効として通常の待機状態に復帰し、また、発呼先番号を入力してから所定時間内に発呼指令がされなかった場合にも発呼先番号の入力を無効として通常の待機状態に復帰する。
【００４２】
ダイヤル番号あるいは入力された発呼先番号を発呼した後、着信があれば、画像メモリ７から画像データを読み出して、所定のファクシミリ通信手順信号に従ってファクシミリ送信する。
【００４３】
図６は、第２の本発明における表示部の問い合わせ動作を説明する図であり、図４（ａ）は問い合わせ画面の一例を示し、図４（ｂ）は短縮ダイヤル発呼指令の受付け確認画面の一例を示し、図４（ｃ）は通常発呼指令の受付け確認画面の一例を示している。
【００４４】
問い合わせ確認画面８３では、短縮ダイヤル発呼指令選択ボタン８３Ａと通常発呼指令選択ボタン８３Ｂとが表示されており、短縮ダイヤル発呼指令選択ボタン８３Ａの操作により、短縮ダイヤル発呼指令が受け付けられて、短縮ダイヤル発呼指令の受付け確認画面８４が表示される。
【００４５】
一方、通常発呼指令選択ボタン８３Ｂの操作により、通常発呼指令が受け付けられて、通常発呼指令の受付け確認画面８５が表示される。
【００４６】
なお、問い合わせ確認画面８３の表示は所定時間内に限られ、所定時間が経過すれば通常の待機状態に復帰する。
【００４７】
短縮ダイヤル発呼指令の受付け確認画面８４では、ＯＫボタン８４Ａの操作により短縮ダイヤル発呼指令の受け付けがなされ、キャンセルボタン８４Ｂの操作により、通常の待機状態に復帰する。
【００４８】
通常発呼指令の受付け確認画面８５では、ＯＫボタン８５Ａの操作により短縮ダイヤル発呼指令の受け付けがなされ、キャンセルボタン８５Ｂの操作により通常の待機状態に復帰する。
【図面の簡単な説明】
【００４９】
【図１】ファクシミリ装置に適用した本発明の通信端末装置の要部構成の一例を示すブロック図
【図２】短縮ダイヤルテーブルの構成の一例を示す図
【図３】第１の本発明の基本動作の一例を示すフローチャート
【図４】第１の本発明における表示部の問い合わせ動作を説明する図
【図５】第２の本発明の基本動作の一例を示すフロ−チャート
【図６】第２の本発明における表示部の問い合わせ動作を説明する図
【符号の説明】
【００５０】
Ｆ  ファクシミリ装置
１  ＣＰＵ
７  画像メモリ
８  表示部
５０  短縮ダイヤルテーブル
【図１】
2007235196.tif 000003
【図２】
2007235196.tif 000004
【図３】
2007235196.tif 000005
【図４】
2007235196.tif 000006
【図５】
2007235196.tif 000007
【図６】
2007235196.tif 000008